(57)【要約】【課題】リニアモータパッケージを提供し、これをカメラモジュール光学系に適用することによって超小型光学ズーム機能を実現する装置を提供する。また、前記リニアモータパッケージを用いて、カメラモジュール光学系でレンズ群を駆動するリニアモータを保護し、その機能を補助する装置を提供する。さらに、前記リニアモータパッケージの集積によりカメラモジュールを軽量化及び小型化することを課題とする。【解決手段】本発明の表面弾性波リニアモータは、表面弾性波が移動する基板１と、前記表面弾性波の移動方向と反対方向に並進運動をする可動部２と、前記基板１に表面弾性波を発生させるための電極３，４とを含む。本発明によると、従来の回転モータ、ギア及びリードスクリューを用いた駆動機とは異なり、別途のメカニズムなしに並進運動を実現することができ、又、小型および軽量化に適するため多様な分野に応用されることができる。【選択図】図４
2006211892.tif 000002
【特許請求の範囲】
【請求項１】
表面弾性波が移動する基板と、
前記表面弾性波の移動方向と反対方向に並進運動をする可動部と、
前記基板に表面弾性波を発生させるための電極とを含む表面弾性波リニアモータ。
【請求項２】
前記基板は、ニオブ酸リチウム（ＬｉＮｂＯ３）、タンタル酸リチウム（ＬｉＴａＯ３）および圧電セラミックス（ＰＺＴ）の中から選択される１種以上の化合物からなることを特徴とする請求項１に記載の表面弾性波リニアモータ。
【請求項３】
前記可動部は、半導体、セラミックス、金属、ポリマーの中から選択される１種以上の物質からなることを特徴とする請求項１に記載の表面弾性波リニアモータ。
【請求項４】
前記電極の末端には、ボンディングパッドが連結されることを特徴とする請求項１に記載の表面弾性波リニアモータ。
【請求項５】
前記電極は、櫛形電極で形成されることを特徴とする請求項１に記載の表面弾性波リニアモータ。
【請求項６】
前記基板の上部には、前記可動部と前記基板とを圧着させるための上部圧着部材がさらに含まれることを特徴とする請求項１に記載の表面弾性波リニアモータ。
【請求項７】
前記基板の下部には、前記可動部と前記基板とを圧着させるための下部圧着部材がさらに含まれることを特徴とする請求項６に記載の表面弾性波リニアモータ。
【請求項８】
前記上部圧着部材および前記下部圧着部材は、前記基板と前記可動部とを圧着させるために、磁石−磁石、磁石−金属、金属−磁石の中から選択される一つの組み合わせによって形成されることを特徴とする請求項７に記載の表面弾性波リニアモータ。
【請求項９】
前記可動部の下部面には、前記基板との接触面に加えられる圧力を増加させ、前記可動部の滑りを防止するための突起が形成されることを特徴とする請求項１に記載の表面弾性波リニアモータ。
【請求項１０】
前記突起は、アレイ状に形成されることを特徴とする請求項９に記載の表面弾性波リニアモータ。
【請求項１１】
前記突起の形状は、円形、菱形、矩形、正弦波形の中から選択される一つの形状からなることを特徴とする請求項９に記載の表面弾性波リニアモータ。
【請求項１２】
前記可動部の下部面には、前記基板との界面における空気の流れを円滑にし、空気によるダンピングを緩和するための流路が形成されることを特徴とする請求項１に記載の表面弾性波リニアモータ。
【請求項１３】
前記流路は、駆動方向に向けて形成されることを特徴とする請求項１２に記載の表面弾性波リニアモータ。
【請求項１４】
基板の表面に形成された表面弾性波によって駆動される表面弾性波リニアモータと、
前記表面弾性波リニアモータを装着するヘッダー部と、
前記表面弾性波リニアモータの駆動をガイドするためのキャップとを含む表面弾性波リニアモータパッケージ。
【請求項１５】
前記キャップは、その中央に溝が形成されることを特徴とする請求項１４に記載の表面弾性波リニアモータパッケージ。
【請求項１６】
前記表面弾性波リニアモータは、表面弾性波が移動する基板と、
前記表面弾性波の移動方向と反対方向に並進運動をする可動部と、
前記基板に表面弾性波を発生させるための電源を供給する電極とを含み、
前記基板の上部には、前記可動部と前記基板とを圧着させるための上部圧着部材と、
前記キャップの外部に駆動力を伝達するための連結部材とを含むことを特徴とする請求項１４に記載の表面弾性波リニアモータパッケージ。
【請求項１７】
前記ヘッダー部は、前記表面弾性波リニアモータを底面から離隔するための複数個のピンを含むことを特徴とする請求項１４に記載の表面弾性波リニアモータパッケージ。
【請求項１８】
前記ピンは、電気的絶縁のために外部に絶縁体が形成されることを特徴とする請求項１７に記載の表面弾性波リニアモータパッケージ。
【請求項１９】
前記基板の下部には、前記可動部と前記基板とを圧着させるための下部圧着部材がさらに含まれることを特徴とする請求項１６に記載の表面弾性波リニアモータパッケージ。
【請求項２０】
前記連結部材は、前記溝を通して突出されることを特徴とする請求項１６に記載の表面弾性波リニアモータパッケージ。
【請求項２１】
請求項１４によって形成される表面弾性波リニアモータパッケージと、
前記表面弾性波リニアモータパッケージに含まれた表面弾性波リニアモータに連結されたレンズ群とを含むレンズ駆動機。
【請求項２２】
前記レンズ群は、ズーム機能を行う１個以上のレンズを含むことを特徴とする請求項２１に記載のレンズ駆動機。
【請求項２３】
前記レンズ群は、自動焦点機能を行う１個以上のレンズを含むことを特徴とする請求項２１に記載のレンズ駆動機。
【発明の詳細な説明】
【技術分野】
【０００１】
本発明は、表面弾性波リニアモータ、表面弾性波リニアモータパッケージ及びこれを用いたレンズ駆動機に関し、より詳しくは、所定の経路上で両方向の駆動が可能な表面弾性波リニアモータを搭載したパッケージ、およびその表面弾性波リニアモータパッケージを用いて光学ズーム機能を実現させるレンズ駆動機に関する。
【背景技術】
【０００２】
最近、通信技術及びデジタル情報処理技術の発展に伴い、情報処理、演算、通信、画像情報の入・出力などの多様な機能が集積された携帯用端末機の技術が新たに台頭している。その例として、デジタルカメラと通信機能が装着されたＰＤＡ、デジタルカメラとＰＤＡ機能が装着された携帯電話機などが挙げられるが、デジタルカメラ技術及び情報保存能力の発達によって高度スペックのデジタルカメラモジュールの装着が漸次一般化しつつある。
【０００３】
諸般技術の発達によって、携帯端末機などに装着されるデジタルカメラモジュールにメガピクセル（ｍｅｇａ  ｐｉｘｅｌ）級イメージセンサ（ｉｍａｇｅ  ｓｅｎｓｏｒ）が使用されるにつれて、自動焦点（ａｕｔｏ  ｆｏｃｕｓ）及び光学ズーム（ｏｐｔｉｃａｌ  ｚｏｏｍ）などの付加機能がより一層重要視されている。このような小型デジタルカメラモジュールにおいて自動焦点及び光学ズーム機能を備えるためには、相対的に小型の体積と速い起動速度と低電力消耗、大きな変位などの性能の要求を充足させる駆動機が必要となる。特に、光学ズーム機能の向上による必要変位の増加に対応できる駆動機が要求されるが、従来のＶＣＭ（ｖｏｉｃｅ  ｃｏｉｌ  ｍｏｔｏｒ）などの電磁力駆動機（ｍａｇｎｅｔｉｃ  ａｃｔｕａｔｏｒ）の場合、変位を増大させることに限界があり、ズーム機能のための起動時に、持続的に電力を消耗するという問題がある。また、ステップモータ（ｓｔｅｐｐｉｎｇ  ｍｏｔｏｒ）などの回転運動をする駆動機によってリードスクリュー（ｌｅａｄ  ｓｃｒｅｗ）を回転させ、可動部を線形的に移動させる場合、メカニズムが複雑になり、かつ、ギア部から摩擦及び騷音が発生するという問題がある。さらに、ＶＣＭ方式及びステップモータを用いた駆動機の場合、複雑な構造により駆動機の製造コストが高くなるとともに、小型化するにおいても制限がある。
【発明の開示】
【発明が解決しようとする課題】
【０００４】
本発明は、上記の問題点を解決するためになされたもので、リニアモータパッケージを提供し、これをカメラモジュール光学系に適用することによって超小型光学ズーム機能を果す装置を提供する。
【０００５】
本発明による表面弾性波リニアモータパッケージは、基板の変形または基板表面の波動によって可動部を駆動させるモータのハウジング（ｈｏｕｓｉｎｇ）であるとともに、モータの効率を向上させる付加機能を有する。なお、駆動装置の小型化及び軽量化を可能にし、携帯用端末機などを始め超小型リニアモータを必要とする多様な分野への適用を可能にする。
【０００６】
本発明の他の目的は、カメラモジュール光学系でレンズ群を駆動させるリニアモータを保護し、その機能を補助する装置を提供することにある。
【０００７】
本発明の又他の目的は、前記リニアモータパッケージの集積によりカメラモジュールを軽量化及び小型化することを課題とする。
【課題を解決するための手段】
【０００８】
上記の目的を達成するために、本発明による表面弾性波リニアモータは、表面弾性波が移動する基板と、前記表面弾性波の移動方向と反対方向に並進運動をする可動部と、前記基板に電源を供給して表面弾性波を発生させるための電極とを含む。
【０００９】
本発明において、前記基板は、ニオブ酸リチウム（ＬｉＮｂＯ３）、タンタル酸リチウム（ＬｉＴａＯ３）および圧電セラミックス（ＰＺＴ）の中から選択される１種以上の化合物からなることが好ましい。
【００１０】
本発明において、前記可動部は、半導体、セラミックス、金属、ポリマーの中から選択される１種以上の物質からなることが好ましい。
【００１１】
本発明において、前記電極の末端には、ボンディングパッドが連結され、前記電極は、櫛形電極で形成されることが好ましい。
【００１２】
本発明において、前記基板の上部には、前記可動部と前記基板とを圧着させるための上部圧着部材がさらに包含されることが好ましい。
【００１３】
本発明において、前記基板の下部には、前記可動部と前記基板とを圧着させるための下部圧着部材がさらに包含されることが好ましい。
【００１４】
本発明において、前記上部圧着部材および前記下部圧着部材は、磁石−磁石、磁石−金属、金属−磁石の中から選択される一つの組み合わせによって、前記基板と前記可動部とを圧着させることが好ましい。
【００１５】
本発明において、前記可動部の下部面には、前記基板との接触面に加えられる圧力を増加させ、前記可動部の滑りを防止するための突起が形成されることが好ましい。
【００１６】
前記突起は、アレイ状に形成され、前記突起の形状は、円形、菱形、矩形、正弦波形の中から選択される一つの形状でなることが好ましい。
【００１７】
本発明において、前記可動部の下部面には、前記基板との界面における空気の流れを円滑にし、空気によるダンピングを緩和するための流路が形成され、前記流路は、駆動方向に向けて形成されることが好ましい。
【００１８】
本発明において、表面弾性波リニアモータパッケージは、基板の表面に形成される表面弾性波によって駆動される表面弾性波リニアモータと、前記表面弾性波リニアモータを装着するヘッダー部と、前記表面弾性波リニアモータの駆動をガイドするためのキャップとを含む。
【００１９】
前記キャップは、その中央に溝が形成されることが好ましい。
【００２０】
本発明において、前記ヘッダー部は、前記表面弾性波リニアモータを底面から離隔するための複数個のピンを含むことが好ましい。
【００２１】
前記ピンは、電気的絶縁のために外部に絶縁体が形成されることが好ましい。
【００２２】
本発明において、前記連結部材は、前記溝を通して突出されることが好ましい。
【００２３】
本発明において、レンズ駆動機は、表面弾性波リニアモータパッケージと、前記表面弾性波リニアモータパッケージに包含された表面弾性波リニアモータに連結されたレンズ群とを含む。
【００２４】
前記レンズ群は、ズーム機能を行う１個以上のレンズを含むか、自動焦点機能を行う１個以上のレンズを含むことが好ましい。
【００２５】
上記目的を達成するために、本発明は、例えば、以下の手段を提供する。
（項目１）
表面弾性波が移動する基板と、
前記表面弾性波の移動方向と反対方向に並進運動をする可動部と、
前記基板に表面弾性波を発生させるための電極とを含む表面弾性波リニアモータ。
（項目２）
前記基板は、ニオブ酸リチウム（ＬｉＮｂＯ３）、タンタル酸リチウム（ＬｉＴａＯ３）および圧電セラミックス（ＰＺＴ）の中から選択される１種以上の化合物からなることを特徴とする項目１に記載の表面弾性波リニアモータ。
（項目３）
前記可動部は、半導体、セラミックス、金属、ポリマーの中から選択される１種以上の物質からなることを特徴とする項目１に記載の表面弾性波リニアモータ。
（項目４）
前記電極の末端には、ボンディングパッドが連結されることを特徴とする項目１に記載の表面弾性波リニアモータ。
（項目５）
前記電極は、櫛形電極で形成されることを特徴とする項目１に記載の表面弾性波リニアモータ。
（項目６）
前記基板の上部には、前記可動部と前記基板とを圧着させるための上部圧着部材がさらに含まれることを特徴とする項目１に記載の表面弾性波リニアモータ。
（項目７）
前記基板の下部には、前記可動部と前記基板とを圧着させるための下部圧着部材がさらに含まれることを特徴とする項目６に記載の表面弾性波リニアモータ。
（項目８）
前記上部圧着部材および前記下部圧着部材は、前記基板と前記可動部とを圧着させるために、磁石−磁石、磁石−金属、金属−磁石の中から選択される一つの組み合わせによって形成されることを特徴とする項目７に記載の表面弾性波リニアモータ。
（項目９）
前記可動部の下部面には、前記基板との接触面に加えられる圧力を増加させ、前記可動部の滑りを防止するための突起が形成されることを特徴とする項目１に記載の表面弾性波リニアモータ。
（項目１０）
前記突起は、アレイ状に形成されることを特徴とする項目９に記載の表面弾性波リニアモータ。
（項目１１）
前記突起の形状は、円形、菱形、矩形、正弦波形の中から選択される一つの形状からなることを特徴とする項目９に記載の表面弾性波リニアモータ。
（項目１２）
前記可動部の下部面には、前記基板との界面における空気の流れを円滑にし、空気によるダンピングを緩和するための流路が形成されることを特徴とする項目１に記載の表面弾性波リニアモータ。
（項目１３）
前記流路は、駆動方向に向けて形成されることを特徴とする項目１２に記載の表面弾性波リニアモータ。
（項目１４）
基板の表面に形成された表面弾性波によって駆動される表面弾性波リニアモータと、
前記表面弾性波リニアモータを装着するヘッダー部と、
前記表面弾性波リニアモータの駆動をガイドするためのキャップとを含む表面弾性波リニアモータパッケージ。
（項目１５）
前記キャップは、その中央に溝が形成されることを特徴とする項目１４に記載の表面弾性波リニアモータパッケージ。
（項目１６）
前記表面弾性波リニアモータは、表面弾性波が移動する基板と、
前記表面弾性波の移動方向と反対方向に並進運動をする可動部と、
前記基板に表面弾性波を発生させるための電源を供給する電極とを含み、
前記基板の上部には、前記可動部と前記基板とを圧着させるための上部圧着部材と、
前記キャップの外部に駆動力を伝達するための連結部材とを含むことを特徴とする項目１４に記載の表面弾性波リニアモータパッケージ。
（項目１７）
前記ヘッダー部は、前記表面弾性波リニアモータを底面から離隔するための複数個のピンを含むことを特徴とする項目１４に記載の表面弾性波リニアモータパッケージ。
（項目１８）
前記ピンは、電気的絶縁のために外部に絶縁体が形成されることを特徴とする項目１７に記載の表面弾性波リニアモータパッケージ。
（項目１９）
前記基板の下部には、前記可動部と前記基板とを圧着させるための下部圧着部材がさらに含まれることを特徴とする項目１６に記載の表面弾性波リニアモータパッケージ。
（項目２０）
前記連結部材は、前記溝を通して突出されることを特徴とする項目１６に記載の表面弾性波リニアモータパッケージ。
（項目２１）
項目１４によって形成される表面弾性波リニアモータパッケージと、
前記表面弾性波リニアモータパッケージに含まれた表面弾性波リニアモータに連結されたレンズ群とを含むレンズ駆動機。
（項目２２）
前記レンズ群は、ズーム機能を行う１個以上のレンズを含むことを特徴とする項目２１に記載のレンズ駆動機。
（項目２３）
前記レンズ群は、自動焦点機能を行う１個以上のレンズを含むことを特徴とする項目２１に記載のレンズ駆動機。
【発明の効果】
【００２６】
本発明による表面弾性波リニアモータは、従来の回転モータ、ギア及びリードスクリューを用いた駆動機とは異なり、別途のメカニズムの必要なしに並進運動を実現することができ、又、小型および軽量化に適するため多様な分野に応用されることができる。
【００２７】
特に、前記表面弾性波リニアモータは、光学ズーム及び自動焦点カメラモジュールに適用される場合、最小限の空間を占めながら必要性能を充足させることができるので、ＰＤＡ、携帯電話機などの多様な携帯用機器に有用に用いられる。
【発明を実施するための最良の形態】
【００２８】
以下、本発明の好適な実施形態を添付の図面を参照しながら説明する。
なお、下記の各構成要素等に与える符号は、同一の構成要素に対しては他の図面に表示される場合にもなるべく同一の符号を与えるようにし、本発明の要旨を混同させると判断される公知技術や構成に対する詳細な説明は省略する。
【００２９】
先ず、図１ａは、本発明の一実施形態による表面弾性波リニアモータの斜視図であり、図１ｂは、図１ａの表面弾性波リニアモータにおける基板と可動部との界面を示した図である。
【００３０】
前記実施形態において、表面弾性波リニアモータは、基板１、可動部２、電極３、４、ボンディングパッド３−１、３−２、４−１、４−２、上部圧着部材１２及び下部圧着部材１１を含む。
【００３１】
図１ａは、前記基板１及び前記可動部２が、前記上部圧着部材１２及び前記下部圧着部材１１によって圧着されて形成されることを概略的に示している。
【００３２】
図１ａを参照すると、前記基板１の上部には可動部２が付着される。前記可動部２の上部には上部圧着部材１２が形成され、前記基板１の下部には下部圧着部材１１が形成される。前記可動部２は前記基板１の中央に形成される。前記基板１の上部面の両端には電極３、４が形成される。前記電極３、４の末端には電圧を印加するボンディングパッド３−１、３−２、４−１、４−２がそれぞれ形成される。
【００３３】
図１ａに示すように、表面弾性波が形成される基板１及び可動部２は、それぞれ可動部２の上部に位置した上部圧着部材１２及び基板１の下部に位置した下部圧着部材１１によって所定の圧力で圧着される。
【００３４】
基板１の両端に形成された櫛形の電極（ｉｎｔｅｒ−ｄｉｇｉｔａｌ  ｅｌｅｃｔｒｏｄｅ）３、４にボンディングパッド３−１と３−２又は４−１と４−２を通じて所定のＲＦ電圧を印加すると、可動部２が上部圧着部材１２と一緒に駆動される。基板１としては、表面弾性波の形成が容易な素材であれば構わないが、特に、ニオブ酸リチウム（ｌｉｔｈｉｕｍ  ｎｉｏｂａｔｅ、‘ＬｉＮｂＯ３’）、タンタル酸リチウム（ｌｉｔｈｉｕｍ  ｔａｎｔａｌａｔｅ、‘ＬｉＴａＯ３’）、圧電セラミックス（ＰＺＴ基板）などの圧電素材を使用することが好ましい。
【００３５】
可動部２は、シリコンなどの半導体、セラミックス、金属、ポリマーなどの材質によって製作可能であり、基板１との接触面に微細な突起を容易に形成することのできる材質により製作することが好ましい。
【００３６】
前記上・下部の圧着部材１１，１２は、可動部２と基板１との間に所定の圧力を加えるための手段であり、可動部２と基板１に必要の圧力を加えることができる別途の部材がある場合には、選択的に使用することも可能である。上部圧着部材１２及び下部圧着部材１１として、磁石−磁石、磁石−金属、金属−磁石の組み合わせを使用する場合には、別途の部材なしに可動部２と基板１に所定の圧力を加えることができる。即ち、前記磁石から発生する磁気力によって、前記上部圧着部材１２と下部圧着部材１１とが互いに密着することにより、前記可動部２と基板１とを圧着することができる。
【００３７】
図１ｂは、可動部２と基板１との界面を拡大して示した断面概念図である。
【００３８】
表面弾性波が図面の左側２０１に進行するとき、基板１の表面は時計方向２０２に粒子運動（ｐａｒｔｉｃｌｅ  ｍｏｔｉｏｎ）を起し、これによって可動部２が右側１０２に移動する。従って、表面弾性波による粒子運動が可動部２の並進運動（ｔｒａｎｓｌａｔｉｏｎ）への変換効率を最適化するためには、可動部２と基板１との間に加えられる圧着部材１１、１２による圧力と、可動部２と基板１との接触面の形状を最適化することが好ましい。
【００３９】
前記可動部２の下部面には、基板１との接触面に加えられる圧力を増加させ、表面弾性波リニアモータの駆動時、可動部２の滑りを防止するためにアレイ（ａｒｒａｙ）状の突起を形成することが好ましく、前記突起の形状は、円形、菱形、矩形、正弦波形（ｓｉｎｅ  ｗａｖｅ）などが好ましい。さらに、前記可動部２と基板１との界面には、表面弾性波リニアモータの駆動時に空気の流れを円滑にし、空気によるダンピング（ｄａｍｐｉｎｇ）を緩和することができる流路が形成され、前記流路は前記可動部の駆動方向に向けて形成することが好ましい。
【００４０】
図２は、本発明の一実施形態による表面弾性波リニアモータパッケージをブロック別に分解した斜視図である。
【００４１】
図２において、表面弾性波リニアモータパッケージは、表面弾性波リニアモータ、キャップ（ｃａｐ）２１及びヘッダー部（ｈｅａｄｅｒ）３１を含み、本実施形態では、前記表面弾性波リニアモータをパッケージ化する方法をブロック別に概略的に示す。
【００４２】
図２の図示のように、前記表面弾性波リニアモータは、前記ヘッダー部３１によって下部が支持され、前記キャップ２１によって上部がパッケージングされる。前記キャップ２１の中央には、前記表面弾性波リニアモータに設けられる連結部材４１をガイドするための貫通孔２２が形成される。前記ヘッダー部３１には、前記表面弾性波リニアモータをワイヤボンディングするためのピン３２−１〜３２−４が設けられる。
【００４３】
即ち、表面弾性波リニアモータパッケージは、貫通孔２２が形成されたキャップ２１と、ワイヤボンディング（ｗｉｒｅ  ｂｏｎｄｉｎｇ）用ピン３２−１、３２−２、３２−３、３２−４が形成されたヘッダー部３１とから構成され、表面弾性波リニアモータをヘッダー部３１に装着してワイヤボンディングした後、キャップ２１をヘッダー部３１に装着する。この時、上部圧着部材１２の上部に付着された連結部材４１は、貫通孔２２を通してキャップ２１の上部に突出する。これにより、可動部２に圧力を加える別途の機械的圧着部材の必要がなくなる。ここで、上部圧着部材１２及び下部圧着部材１１は二つの永久磁石又は永久磁石−金属の組み合わせを使用する。
【００４４】
図３ａ及び図３ｂは、本発明の一実施形態による下部圧着部材を使用した場合と、下部圧着部材を使用しない場合の基板の装着方法を示す。
【００４５】
図３ａは、下部圧着部材１１として永久磁石を使用した場合、上部圧着部材１２としては、永久磁石または相対的に高い比誘電率（ｒｅｌａｔｉｖｅ  ｐｅｒｍｅａｂｉｌｉｔｙ）を有する金属を使用することができる。
【００４６】
図３ｂは、下部圧着部材１１を省略し、上部圧着部材１２のみを使用した場合であり、上部圧着部材１２の材質としては永久磁石が使用され、高い比誘電率を有する金属によって前記ヘッダー部３１を製作することが好ましい。
【００４７】
図４は、本発明の一実施形態による表面弾性波リニアモータパッケージを用いたレンズ駆動機の概念図である。
【００４８】
本実施形態において、表面弾性波リニアモータパッケージを用いたレンズ駆動機は、表面弾性波リニアモータパッケージとレンズ群５１を含む。
【００４９】
図４は、前記レンズ群が前記表面弾性波リニアモータパッケージに結合される方法を概略的に示す。
【００５０】
図４を参照すると、前記レンズ群の一面は、前記表面弾性波リニアモータパッケージのキャップ２１に設けられた貫通孔を通して突出する連結部材４１と連結される。前記レンズ群は、ズーム機能を行う１個以上のレンズ又は自動焦点機能を行う１個以上のレンズを含んで構成されることが好ましい。
【００５１】
図５ａ乃至図５ｃは、本発明の一実施形態による前記図４に示す表面弾性波リニアモータパッケージを用いたレンズ駆動機におけるＡ−Ｂ線及びＡ’−Ｂ’線に沿う断面図である。
【００５２】
図５ａは、表面弾性波リニアモータパッケージを用いたレンズ駆動機の内部において、表面弾性波リニアモータが位置しない部分の断面図である。
【００５３】
図５ａを参照すると、ワイヤボンディング用ピン３２−１，３２−２は、電気的絶縁のためにそれぞれの絶縁体３３−１、３３−２によって外部に連結されている。
【００５４】
図５ｂ及び図５ｃは、表面弾性波リニアモータパッケージを用いたレンズ駆動機の内部において、表面弾性波リニアモータが位置した部分の断面図であり、図５ｂは下部圧着部材を使用した場合を、図５ｃは下部圧着部材を使用しない場合をそれぞれ示している。図５ｂ及び図５ｃに示すように、永久磁石を使用して可動部２と基板１とを圧着させる場合、連結部材４１、ヘッダー部及びキャップ２１を高い比誘電率を有する物質により製作し、磁力線を図面中黒太の矢印のように分布させることが好ましい。
【００５５】
以上のように、本発明の好ましい実施形態を用いて本発明を例示してきたが、本発明は、この実施形態に限定して解釈されるべきものではない。本発明は、特許請求の範囲によってのみその範囲が解釈されるべきであることが理解される。当業者は、本発明の具体的な好ましい実施形態の記載から、本発明の記載および技術常識に基づいて等価な範囲を実施することができることが理解される。
【００５６】
リニアモータパッケージを提供し、これをカメラモジュール光学系に適用することによって超小型光学ズーム機能を実現する装置を提供する。また、前記リニアモータパッケージを用いて、カメラモジュール光学系でレンズ群を駆動するリニアモータを保護し、その機能を補助する装置を提供する。さらに、前記リニアモータパッケージの集積によりカメラモジュールを軽量化及び小型化することを課題とする。
【００５７】
本発明の表面弾性波リニアモータは、表面弾性波が移動する基板１と、前記表面弾性波の移動方向と反対方向に並進運動をする可動部２と、前記基板１に表面弾性波を発生させるための電極３，４とを含む。本発明によると、従来の回転モータ、ギア及びリードスクリューを用いた駆動機とは異なり、別途のメカニズムなしに並進運動を実現することができ、又、小型および軽量化に適するため多様な分野に応用されることができる。
【図面の簡単な説明】
【００５８】
【図１ａ】本発明の１実施形態による表面弾性波リニアモータの斜視図である。
【図１ｂ】図１ａの表面弾性波リニアモータにおける基板と可動部との界面を示す拡大図である。
【図２】本発明の１実施形態による表面弾性波リニアモータパッケージの分解斜視図である。
【図３ａ】本発明の１実施形態による下部圧着部材を使用した場合の基板の装着方法を示した図である。
【図３ｂ】本発明の１実施形態による下部圧着部材を使用しない場合の基板の装着方法を示した図である。
【図４】本発明の１実施形態による表面弾性波リニアモータパッケージを用いたレンズ駆動機の概念図である。
【図５ａ】本発明の１実施形態によるレンズ駆動機において、図４のＡ−Ｂ線に沿う断面図である。
【図５ｂ】本発明の１実施形態によるレンズ駆動機において、下部圧着部材を使用した場合の図４のＡ’−Ｂ’線に沿う断面図である。
【図５ｃ】本発明の１実施形態によるレンズ駆動機において、下部圧着部材を使用しない場合の図４のＡ’−Ｂ’線に沿う断面図である。
【符号の説明】
【００５９】
１；基板
２；可動部
３、４；電極
３−１、３−２、４−１、４−２；ボンディングパッド
１１；下部圧着部材
１２；上部圧着部材
２１；キャップ
２２；貫通孔
３１；ヘッダー部
３２−１〜３２−４；ワイヤボンディング用ピン
【図１ａ】
2006211892.tif 000003
【図１ｂ】
2006211892.tif 000004
【図２】
2006211892.tif 000005
【図３ａ】
2006211892.tif 000006
【図３ｂ】
2006211892.tif 000007
【図４】
2006211892.tif 000008
【図５ａ】
2006211892.tif 000009
【図５ｂ】
2006211892.tif 000010
【図５ｃ】
2006211892.tif 000011